(57)【要約】【課題】リモコン錠の無線のトラブルに対処できるようにする。【解決手段】ドアの室内側に取り付けた本体からドアとの隙間を利用して室外側にレセプタクルコネクタを設ける。一方、無線リモコン５０に収納式のプラグを設ける。そして、無線が使えなくなったときには、無線リモコン５０から前記プラグ５１を出して室外側に設けたコネクタに接続して解錠する。【選択図】  図１２
2004353318.tif 000002
【特許請求の範囲】
【請求項１】
ドアの室内側に取り付けた本体の錠面から無線リモコンの操作で出没させたボルトで施錠と解錠を行うリモコン錠において、
上記ドアの室外側に、室内側の本体と有線で接続されたコネクタ部を設けるとともに、上記無線リモコンに前記コネクタ部に接続するプラグを備えて開錠信号を入力できるようにしたリモコン錠。
【請求項２】
ドアの室内側に取り付けた本体の錠面から無線リモコンの操作で出没させたボルトで施錠と解錠を行うリモコン錠において、
上記本体のボルトに加わる圧力の検出手段と、その検出手段の検出信号に基づいて警報を発生する警報発生手段を設けたリモコン錠。
【請求項３】
ドアの室内側に取り付けた本体の錠面から無線リモコンの操作で出没させたボルトで施錠と解錠を行うリモコン錠において、
上記本体に、ドアの上部に掛かるフック状の係止部を備えたリモコン錠。
【請求項４】
上記係止部に、フックの開口をドアの厚みに合わせて調整できるアジャスタ機構を設けた請求項３に記載のリモコン錠。
【請求項５】
上記ドアの室外側に、室内側の本体と有線で接続されたコネクタ部を設けるとともに、無線リモコンに前記コネクタ部に接続するプラグを備えて開錠信号を入力できるようにした請求項３または４に記載のリモコン錠。
【請求項６】
上記本体のボルトに加わる圧力の検出手段と、その検出手段の検出信号に基づいて警報を発生する警報発生手段を設けた請求項３乃至５のいずれかに記載のリモコン錠。
【請求項７】
上記本体または係止部の一方あるいは両方とドア間にスベリ止めを設けた請求項３乃至６のいずれかに記載のリモコン錠。
【発明の詳細な説明】
【０００１】
【発明の属する利用分野】
この発明は、鍵穴を無くして防犯効果と使い勝手の向上を図ったリモコン錠に関するものである。
【０００２】
【従来の技術】
鍵穴を無くしてピッキングなどの防犯効果の向上と使い勝手の良さを図ったリモコン錠として、例えば〔特許文献１〕に示すものがある。
【０００３】
この錠は、図１３に示すように、ドアの室内側に取り付ける本体１と、無線リモコン２とで構成される。また、前記本体１は、内蔵電池で作動するアクチュエータによって錠面から出没するボルト（カンヌキ）３を備えており、このボルト３を無線リモコン２の操作で、ドアの框などに取り付けた受け座４に係合させて施錠と解錠を行うものである。
【０００４】
さらに、このものでは、本体内に電圧検出手段を備えて、内蔵電池の電圧低下を検出し、内蔵電池が無くなる前にボルト３を下げて締切り状態にならないようにするなど、使い勝手も配慮したものである。
【０００５】
【特許文献１】
特開２００２−２５６７４５
【０００６】
【発明が解決しようとする課題】
しかしながら、上記のものでは、本体の電池切れのトラブルに対しては、未然に対処できるが、リモコンから本体への信号の伝達に使っている無線のトラブルに対しては無防備であった。
【０００７】
例えば、無線を送信するリモコンの送信手段がトラブルを起こすと、電波を送信できなくなるので、他の部分が正常でもドアを解錠できないということになる。
【０００８】
このとき、代替のリモコンを直ぐに入手できないと、最悪の場合、ドアを壊さなければならず、大きな問題となっている。また、たとえ、リモコンが入手できたとしても解錠にはリモコンと本体との識別情報が一致している必要があり、識別信号の設定の組合せを覚えていなければドアを開けることができず、結局、ドアを壊さなければならない問題がある。
【０００９】
また、これとは別の問題として最近は、バールなどでドアをこじ開ける犯罪も多発しており、これにも対処しなければならない問題もある。
【００１０】
さらに、従来のものの本体のドアへの取り付けは、木ねじや粘着テープを使っていたが、このような取り付け方だと、例えばネジを使用して固定する場合は、ドアに取り付け穴を設けるため、賃貸住宅では退去する際に、契約時の状態に復帰ができず、また粘着テープのみを使用して固定する場合は、取り付け強度が弱まることや、結露などによる劣化を憂慮しなければならないため、使用を見合わせる問題があった。
【００１１】
そこで、この発明の課題は、リモコンのトラブルに対処できるようにすること、バールなどでのこじ開けにも対抗できるようにすること、さらに、取り付け強度を保ったうえで取り付け方法を改善してドアへキズを付けないようにすることである。
【００１２】
【課題を解決するための手段】
上記の課題を解決するため、この発明では、ドアの室内側に取り付けた本体の錠面から無線リモコンの操作で出没させたボルトで施錠と解錠を行うリモコン錠において、上記ドアの室外側に、室内側の本体と有線で接続されたコネクタ部を設けるとともに、上記無線リモコンに前記コネクタ部に接続するプラグを備えて開錠信号を入力できるようにした構成を採用したのである。
【００１３】
このような構成を採用することにより、無線が使えなくなったときは、リモコンのプラグをドアの室外側に設けられたコネクタ部に接続すれば、室内側の本体へ解錠信号を入力できるので解錠できる。このとき、解錠信号は、無線と同じものを使えば識別が行えるので、セキュリティも安心である。
【００１４】
また、ドアの室内側に取り付けた本体の錠面から無線リモコンの操作で出没させたボルトで施錠と解錠を行うリモコン錠において、上記本体のボルトに加わる圧力の検出手段と、その検出手段の検出信号に基づいて警報を発生する警報発生手段を設けた構成を採用することができる。
【００１５】
このような構成を採用することにより、施錠中に、ドアをバールなどでこじ開けようとして、その圧力がボルトに加わると、その圧力を検出手段が直ちに検出して警報発生手段を作動し、周囲に異常を報知するため、進入を躊躇させることができる。
【００１６】
また、ドアの室内側に取り付けた本体の錠面から無線リモコンの操作で出没させたボルトで施錠と解錠を行うリモコン錠において、上記本体に、ドアの上部に掛かるフック状の係止部を備えた構成を採用することができる。
【００１７】
このような構成を採用することにより、本体のドアへの取り付けは、ドアの上部に係止部を掛けるだけで済むので、取り付け穴などを設けてドアを傷つける必要がなく、本体の取り付けや取り外しがワンタッチでできる。また、このようにドアの上部に掛けた状態では施錠中は前記係止部はドアの框に当接して持ち上げて外せないので安全性も高い。
【００１８】
このとき、上記係止部に、フックの開口をドアの厚みに合わせて調整できるアジャスタ機構を設けた構成を採用することにより、アジャスタ機構を調整すれば、幅の違う多種類のドアに対応できる。
【００１９】
また、このとき、上記ドアの室外側に、室内側の本体と有線で接続されたコネクタ部を設けるとともに、無線リモコンに前記コネクタ部に接続するプラグを備えて開錠信号を入力できるようにしたり、上記本体のボルトに加わる圧力の検出手段と、その検出手段の検出信号に基づいて警報を発生する警報発生手段を設けて、圧力がボルトに加わると、警報発生手段を作動し、周囲に異常を報知して進入を躊躇させるようにもできる。
【００２０】
また、上記本体または係止部の一方あるいは両方とドア間にスベリ止めを設けた構成を採用ができる。
このような構成を採用することにより、施錠時は、係止部がドアの框に当接し、本体を持ち上げてドアから外すことができなくなっているので、本体または係止部の一方あるいは両方をドアとの間にスベリ止めを設けることにより、左右方向へのスライドを防止して、上方および左右方向の外力に対する固定強度を確保する。また、こうすることで、該スベリ止めは、解錠時には、開閉の際の衝撃などで本体が左右へスライドすることを防ぐので、ボルトの位置が当初の取り付け位置からずれて、例えばボルトの位置が受け座の位置からずれることがないようにできる。
【００２１】
【発明の実施の形態】
以下、この発明の実施の形態を図面に基づいて説明する。
【００２２】
この形態のリモコン錠は、図１に示すように、リモコン錠本体１０と無線リモコン５０で構成されている。
【００２３】
リモコン錠本体１０は、本体ケース１１に係止部１２を設けた形状となっており、後述するように、係止部１２のフック部１２ｂの室外側の露出部分には、表示パネル４３が設けられている。
【００２４】
本体ケース１１は、一部が透明なプラスチック製のもので、ケース１１の内部には、図２に示すように、ボルト１４、アクチュエータ１５、センサスイッチ１６、圧力検出手段１７とその警報発生手段１８（図３、４）及び回路基板１９を備えるとともに、電池Ｂを内蔵している。
【００２５】
ボルト１４は、ガイド孔に収容され、進退自在に支持されている。また、このボルト１４の側部にはラックギアが形成されており、このラックギアはガイド孔に設けたスリットに臨むようになっている。さらに、このスリットを介してボルト１４のラックギアにアクチュエータ１５のピニオンギア２０が噛合するようになっている。
【００２６】
すなわち、前記アクチュエータ１５は、モータＭに減速機構を設けた構成となっており、減速機構には、クラッチが設けられている。
【００２７】
減速機構は、ウォームギア、平歯車、ピニオンギアを組み合わせたもので、モータＭが回転すると、回転がウォームギア→平歯車→クラッチ→ピニオンギア２０と伝達され、減速できるようになっている。
【００２８】
また、前記クラッチは、ゴム板などの部材を用いた摩擦クラッチで、ピニオンギア２０に所定の力の回転力が加わると、クラッチが滑ってピニオンギア２０を回転させることができるようになっており、アクチュエータ１５が作動しない場合でも、ボルト１４に連結された図２の引下げ棒Ｓを引き下げれば解錠できるようになっている。
【００２９】
センサスイッチ１６は、この形態の場合、２個のマイクロスイッチを、ボルト１４に取り付けた突片２１に係合させてボルト１４の位置検出（上死点と下死点）ができるようにしたもので、各スイッチ出力は、後述するマイクロコンピュータ３０に接続されている。
【００３０】
圧力検出手段１７は、図３（ａ）に示すように、バネ（スプリング）２２とスイッチ（例えばマイクロスイッチなど）２３とを用いたもので、バネ２２を例えば、図３（ａ）のように、一方を軸に掛けてボルト１４の側面に配置し、他方にスイッチ２３を設けて、前記スイッチ２３がボルト１４の圧力でバネ２２が矢印のように撓んだ際に作動するようにしたものである。
【００３１】
このスイッチは、図３（ｂ）のように警報発生手段１８と接続されている。警報発生手段１８は、オフ・ディレータイマ（ワンショットトリガ回路などでも可）とブザー駆動回路及びブザーとで構成されており、一瞬でもスイッチが入ると、オフ・ディレータイマが作動して所定の時間ブザーが鳴るようになっており、これらの回路は、次に述べる回路基板１９に設けられている。
【００３２】
回路基板１９は、図４のように、メインボードＭＢとサブボードＳＢとで構成され、メインボードＭＢには、先に述べた警報発生手段１８の他、駆動手段３１、報知手段３２、第１の電圧検出手段３３、第２の電圧検出手段３４、電源供給手段３５、ＩＤ識別手段３６、ブザー駆動回路３７の各回路を備えている。また、サブボードＳＢは、調整の必要な無線受信手段３８の回路を備えている。
【００３３】
メインボードＭＢは、具体的には、インターフェース回路をマイクロコンピュータ（ホールト及びタイマ機能付のワンチップマイコン）３０と接続することにより、上記各手段（回路）を実現している。
【００３４】
例えば、駆動回路３１は、トランジスタブリッジ接続を用いた正逆転回路をドライブＩＣを介してマイクロコンピュータ３０に接続したもので、マイクロコンピュータ３０の出力によりアクチュエータ１５のモータＭを正逆転する。
【００３５】
報知手段３２は、この形態では、ＬＥＤを電流制限抵抗を介してマイクロコンピュータ３０と接続したもので、マイクロコンピュータ３０の出力で直接点灯と消灯ができるようにしている。
【００３６】
第１の電圧検出手段３３は、所定の基準電圧、ここでは、２．６Ｖを備えた電源電圧監視用のＩＣを用いたもので、前記ＩＣをマイクロコンピュータ３０と接続して、電池Ｂの電圧が基準電圧２．６Ｖを下回った際にマイクロコンピュータ３０に検出信号が入力するようになっている。
【００３７】
第２の電圧検出手段３４は、基準電圧が２．４Ｖの電源電圧監視用のＩＣを用いたもので、電池Ｂの電圧が基準電圧２．４Ｖを下回ったときにマイクロコンピュータ３０へ検出信号を出力する。
【００３８】
ここで、上記第２の電圧検出手段３４の基準電圧を電圧２．４Ｖに設定したのは、ボルト１４を収容するためのモータＭの最低駆動電圧に合わせて設定したためで、モータＭの特性などにより適宜決められるものである。
【００３９】
電源供給手段３５は、後述するサブボードＳＢの無線受信手段１８への電池Ｂからの電力供給を間欠的に行うもので、電池Ｂに接続されたスイッチングトランジスタのオン・オフをマイクロコンピュータ３０で制御することにより、無線受信手段１８への電源供給をコントロールするようになっている。こうして無線受信手段１８を常時待ち受け状態とせずに間欠的に作動することにより電池Ｂの消耗を抑えるようにしている。
【００４０】
ＩＤ識別手段３６は、この形態では、マイクロコンピュータ３０に接続されたＲＯＭメモリ３６ａと設定用のディップスイッチ３６ｂとで構成し、ＲＯＭメモリ３６ａには、ＩＤコードが記憶させてある。そして、設定用のディップスイッチ３６ｂでアドレスを設定すると、設定したＲＯＭメモリ３６ａのアドレスのＩＤコードをマイクロコンピュータ３０が読み込んで、そのＩＤコードに基づいて無線リモコン５０の識別をするようになっている。
【００４１】
なお、図中の符号３７は確認音を出したり、異常発生時の警報を発したりするブザー駆動回路である。
【００４２】
一方、係止部１２は、図５（ａ）に示すように、ドア上部に掛けるようにしたフック状のもので、本体取付部１２ａとフック部１２ｂ及び連結板１２ｃとストッパー片１２ｄとで構成することにより、フックの開口をドアの厚みに合わせて調整できるアジャスタ機構を備えている。
【００４３】
すなわち、本体取付部１２ａは、図５（ａ）に示すように、Ｌ形の先端に突部１２ｅを形成したもので、逆Ｌ形にして本体ケース１１の背面にネジ止めなどにより取り付ける。また、そのＬ形の折曲部分には、ハの字形に形成された２個の係合用の長孔１２ｆを設けてある。
【００４４】
また、フック部１２ｂは、Ｌ形の板の先端に切欠１２ｇを形成して、本体取付部１２ａの突部１２ｅと嵌合するようにしたもので、逆Ｌ形にして本体取付部１２ａと突合わせるようになっている。そのフック部のＬ形の折曲部分にも２個の係合用の長孔１２ｆがハの字形に設けられており、図５（ａ）のように突合わせた際に、本体取付部１２ａの係合用の長孔１２ｆと対向するようになっている。
【００４５】
連結板１２ｃは、図５（ｂ）のように、一対の板状のもので、各連結板１２ｃは、対称な一辺の一部を斜めにカットしてある。また、各連結板１２ｃには、２個の突起（ボス）ｂが一列に設けてあり、この２個の突起ｂの間隔は本体取付部１２ａとフック部１２ｂを突合わせた際に、両部材１２ａ、１２ｂの係合用の長孔１２ｆの間隔と同じにしてある。
【００４６】
また、ストッパー片１２ｄは台形状のもので、その大きさは図５（ｂ）に示すように、本体取付部１２ａとフック部１２ｂに２枚の連結板１２ｃを取り付けた際に形成される連結板１２ｃのカット部分に嵌まる大きさである。
【００４７】
そのため、ドアの上部で本体取付部１２ａとフック部１２ｂとを突合わせ、両部材１２ａ、１２ｂの長孔１２ｆに連結板（左右）１２ｃの突起ｂを嵌め込んで取り付けたのち、２枚の連結板１２ｃが形成する連結板１２ｃのカット部分にストッパー片１２ｄを、例えば両面テープなどで取り付けると、連結板１２ｃを動かなくできるので、ネジを使わずに取り付けることができる。
【００４８】
このとき、連結板１２ｃの突起ｂを嵌める長孔１２ｆの位置を例えば、図５（ａ）のように「イ」〜「ロ」の間で変えると、本体取付部１２ａとフック部１２ｂとの間隔を変えられるので、厚いドア（ドアの厚さが厚くなるに従って、「イ」〜「ロ」へ移動させる）にも対応できる。例えば、ドアの厚みが３０ｍｍの時には、連結板の突起を「イ」の位置に嵌めればよく、厚みが４０ｍｍのときは「ロ」の位置に嵌めればフックの開口を広げられる。このようなアジャスタ機構を設けたことにより、ドアの厚さに合わせてフックの開口を自由に調節して取り付けることができる。
【００４９】
また、このフック部１２ｂには、図６に示すような、非常解錠用のレセプタクルコネクタ４０が設けられている。レセプタクルコネクタ４０は、図６に示すように、フック部１２ｂに設けられた錠の施錠・解錠状態を示す表示パネル４３に設けられている。表示パネル４３は、解錠と施錠のモニタランプ（ＬＥＤ）４１、４２を横一列に設けたもので、そのモニタランプ４１、４２の真ん中にレセプタクルコネクタ４０が設けられている。このコネクタ４０やモニタランプ４１、４２は、通常は、透明なプラスチック板のカバーで被われており、このカバーを破ってコネクタ４０を使用する。ちなみに、モニタランプ４１、４２は赤（解錠）と黄（施錠）である。
【００５０】
このコネクタ４０やモニタランプ４１、４２は、本体１とケーブルで接続されている。ここでは、このケーブルにフラットケーブルを用いており、係止部１２の裏側を通して本体ケース内に導入している。
【００５１】
レセプタクルコネクタ４０は、回路を切り替えるスイッチ機能を有したジャック型のもので、図７のように、本体サブ−ボードＳＢの増幅回路と波形成形回路の間に接続されている。このサブボードＳＢの無線受信手段３８は、図７に示すように、同調検波回路、増幅回路、波形成形回路で構成したもので、同調検波回路が無線リモコン５０からの送信信号を検波し、その検波信号を増幅回路で増幅して波形成形回路へ入力することにより、後述するようなＩＤコード信号（パルス列信号）をメインボードＭＢへ入力するようになっている。
【００５２】
そのため、後述するようにジャック４０に、無線リモコン５０のプラグ５１を挿入すると、増幅回路と波形成形回路の接続が切り換えられ、波形成形回路とプラグ５１とが接続されるようになっている。
【００５３】
この他、本体１０の係止部１２にはスベリ止め１２ｈ（図９（ｂ）、（ｃ）参照）が設けられている。スベリ止め１２ｈは、この形態では両面テープ（接着跡を残さないもの）を用いており、本体取付部１２ａとフック部１２ｂの裏面に開口を上向きにした「コ」の字に取り付けてある。このようにスベリ止め１２ｈをドアとの間に設けることにより、ドアに掛けた本体１０がドアの開閉などのショックで左右にスライドしたり、上方にジャンプして抜け落ちたりしないようにしてある。
なお、この形態では、スベリ止め１２ｈに両面テープを用いたが、これに限定されるものではない。これ以外にも、ゴム板や摩擦の大きな樹脂シート、あるいは突起やザラ面などを係止部１２に直接形成したものでも良い。また、これらのスベリ止め１２ｈは、ドアとの間に設ければよいので、ドア側に設けるようにしても良い。
【００５４】
一方、無線リモコン５０は、図８に示すように、収納自在のプラグ５１を備えたもので、内部に無線送信手段５２、マイクロコンピュータ５３、解錠・施錠スイッチ手段５４、パルス出力手段５５を備えている。
【００５５】
無線送信手段５２は、例えば、トランジスタを用いた振幅変調回路で構成されており、振幅変調回路のトランジスタにはマイクロコンピュータ５３から変調信号としてＩＤコード出力が出力されるようになっている。
【００５６】
解錠・施錠スイッチ手段５４は、スイッチと抵抗とで構成される施錠及び解錠用のスイッチ回路で、図のようにマイクロコンピュータ５３に接続された解錠または施錠スイッチ５４を押すことにより、マイクロコンピュータ５３が解錠信号と施錠信号を出力する。
【００５７】
また、このとき、スイッチ回路５４は、図のように電池Ｂと回路間に直列に接続されたトランジスタＴｒ１のベース回路に接続されており、いずれかのスイッチ５４を押したときのみ、トランジスタＴｒ１が作動して他の回路に電源を供給するようになっている。
【００５８】
さらに、前記スイッチ回路５４と並列に電源保持用のＩＣ５６が設けられており、前記ＩＣ５６は、マイクロコンピュータ５３と接続されてマイクロコンピュータ５３が送信終了後に出力する停止信号によりスイッチングトランジスタＴｒ１をオフにするようになっている。そして、このようにすることにより、リモコン５０の操作時にのみ電力を供給して電池Ｂの無駄な消耗を抑え、長期間の使用ができるようにしてある。
【００５９】
また、マイクロコンピュータ５３は、内蔵ＲＯＭを備えており、このメモリにＩＤコードを記憶させるようにプログラムされている。そして、図示していないが、コード入力端子からＩＤコードをロードすると、内蔵ＲＯＭメモリに設定できるようになっている。
【００６０】
一方、プラグ５１は、この形態では、２極単頭型のもので、図８のように、バッファとして設けたパルス出力手段５５を介して無線送信手段５２と並列にマイクロコンピュータ５３と接続されており、マイクロコンピュータ５３からのＩＤコードを直接（電波を介さずに）出力できるようになっている。また、プラグ５１は、ケースの側面に設けたツマミと連結されており、ツマミをスライドさせることにより、ケースに収納したりケースから伸長させることができるようになっている。
【００６１】
この形態は、上記のように構成されており、このリモコン式錠は錠本体１０をドアの室内側にしてドアの上部に取り付ける。
【００６２】
すなわち、図９（ａ）に示すように、本体係止部１２の本体取付部１２ａとフック部１２ｂとをドアの上部に嵌め、本体取付部１２ａとフック部１２ｂの突部１２ｅと切欠１２ｇとを突合わせる。その際、図９（ｂ）、（ｃ）に示すように、本体取り付け部１２ａとフック部１２ｂをスベリ止め１２ｈでドアに固定しておく。そして、両部材１２ａ、ｂの長孔１２ｆに連結板（左右）の突起ｂを嵌め込んで、２枚の連結板１２ｃを取り付ける。さらに、こうして取り付けた２枚の連結板１２ｃのカット部分にストッパー片１２ｄを、図９（ｄ）のように、両面テープなどで取り付ける。すると、連結板１２ｃが動かなくなり固定できる。
【００６３】
このとき、ドアが厚い場合は、本体取付部１２ａとフック部１２ｂとの間隔を空けて、ドアの上部に嵌める。そして、両部材１２ａ、ｂの長孔１２ｆへ連結板１２ｃを取り付ける。このとき、長孔１２ｆは「ハ」の字形に設けてあるので、長孔１２ｆの間隔と連結板１２ｃの突起ｂの間隔とが合致するところに嵌める。あとは、ストッパー片１２ｄをカット部分の奥まで嵌めれば（台形状に形成したことにより奥まで嵌入することができるので）連結板１２ｃが動かないようにできる。そのため、連結板１２ｃを両面テープで取り付けて固定すれば、取り付けが完了する。
【００６４】
このようなアジャスタ機構を備えているので、厚さの違うドアにも簡単に取り付けられる。その際、ストッパー片１２ｄを用いた固定法を採用したので、ネジを使わなくとも簡単に取り付けができるため、賃貸住宅などでも安心して使用できる。
【００６５】
一方、こうしてドア内側への本体１０の取り付けができると、図１０に示すように、リモコン錠本体１０のボルト１４に対応したドアの框に受け座６０を取り付ける。なお、ここでは受け座６０の取り付けを本体１０のドアへの取り付けの後でするように述べたが、これに限定されるものではなく、先に受け座６０を取り付けるようにしても良い。
また、このとき、リモコン錠本体１０と付属のリモコン５０とのＩＤコードは一致しており、このリモコン５０でしか操作できなくしてある。
【００６６】
このようにドアに取り付けられた錠本体１０は、電源供給手段３５が無線受信手段のみに所定の間隔で電力を供給する一方、マイクロコンピュータ３０は、内蔵タイマのみを作動し、残りの全回路をホールド状態として無線リモコン５０からの信号を待ち受け受信する。
【００６７】
この状態で、無線リモコン５０の施錠用のスイッチ５４を押すと、無線リモコン５０のマイクロコンピュータ５３が、それを検出してＩＤコードを送信する。
【００６８】
このＩＤコードは、この形態の場合、例えば図１１に示すように、４ビットを一桁とする７桁のコード信号で構成され、全７桁で構成される６桁目までを識別用のＩＤ信号として、７桁目に開閉などのモード信号を出力するようになっている。また、７桁のコード信号の前後に１０ビットの同期信号を設けることにより、１０ビットの同期信号の「１」の時間を計測し、それから１ビット当たりの時間を計算して、例えば１ビットのパルス幅が温度や電圧で変動しても、信号をサーチできるように構成されている。
【００６９】
そのため、ＩＤコードを受信した本体１０は、センサスイッチ１６でボルト１４の位置を検出し、ボルト１４が開状態にあることを検出すると、駆動回路３１によりアクチュエータ１５を作動し、センサスイッチ１６から施錠状態が検出されるまでボルト１４を移動する。このとき、フック部１２ｂの解錠・施錠状態を示す表示パネル４３は施錠状態を示す黄色いＬＥＤ４１が点灯する。
【００７０】
また一方、無線リモコン５０の解錠用のスイッチ５４を押すと、センサスイッチ１６で解錠状態が検出されるまでボルト１４を移動する。このとき、表示パネル４３は解錠状態を示す赤いＬＥＤ４２が点灯する。
【００７１】
このように、無線リモコン５０で解錠・施錠操作を行うので鍵穴を必要としない。そのため、外から工具を用いて解錠できず、ピッキングに対抗できる。しかも、ワンタッチで開閉できるので施錠や解錠に手間がかからない。
【００７２】
また、ドアをバールなどで無理にこじ開けようとして、ボルト１４に圧力が掛かると、圧力検出手段１７のスイッチ２３が作動して警報手段１８のブザーを鳴らすので、周囲に警報を発することができる。また、持ち上げで外そうとしても框に当接して外れないので、進入の企てを挫くことができる。
【００７３】
ところで、本体とリモコン間は無線で繋がっているので、無線状態が悪いときやリモコン５０の送信手段が不調のときには、解錠できなくなってしまう。そんな非常時には、表示パネル４３の透明なプラスチック板のカバーを破ってコネクタ４０を露出させる。次に、リモコン５０に収納されたプラグ５１を出して、そのプラグ５１を図１２のように、露出させたコネクタ４０に、差し込んで、解錠スイッチ５４を押す。すると、ＩＤ信号がプラグ５１を介して本体内の回路に送信されるので、解錠させることができる。そのため、無線のトラブルの場合でもドアを壊わさなくとも解錠することができるので、無線を使ったリモコンの弱点を解消できる。
【００７４】
【発明の効果】
この発明は、以上のように構成したことにより、バールなどを使った解錠行為にも対処できるようにして防犯性能を向上させるとともに、無線を使ったトラブルも解消できる。またドアへの取り付けもワンタッチで簡単に行なえ、しかもその取り付け強度も高い。
【図面の簡単な説明】
【図１】実施形態の斜視図
【図２】実施形態の要部断面図
【図３】（ａ）実施形態の作用説明図
（ｂ）実施形態のブロック図
【図４】実施形態のブロック図
【図５】（ａ）実施形態の作用説明図
（ｂ）実施形態の作用説明図
【図６】実施形態の要部の正面図
【図７】実施形態のブロック図
【図８】実施形態のブロック図
【図９ａ】（ａ）実施形態の作用説明図
（ｂ）実施形態の作用説明図
【図９ｂ】（ｃ）実施形態の作用説明図
（ｄ）実施形態の作用説明図
【図１０】実施形態の作用説明図
【図１１】実施形態の作用説明図
【図１２】実施形態の作用説明図
【図１３】従来例の斜視図
【符号の説明】
１  本体
２  無線リモコン
３  ボルト
１０  リモコン錠本体
１２  係止部
１２ａ  本体取付部
１２ｂ  フック部
１２ｃ  連結板
１２ｄ  ストッパー片
１２ｈ  スベリ止め
１４  ボルト
１７  圧力検出手段
１８  警報発生手段
２２  バネ
２３  スイッチ
４０  レセプタクルコネクタ
４３  表示パネル
５０  無線リモコン
５１  プラグ
【図１】
2004353318.tif 000003
【図２】
2004353318.tif 000004
【図３】
2004353318.tif 000005
【図４】
2004353318.tif 000006
【図５】
2004353318.tif 000007
【図６】
2004353318.tif 000008
【図７】
2004353318.tif 000009
【図８】
2004353318.tif 000010
【図９ａ】
2004353318.tif 000011
【図９ｂ】
2004353318.tif 000012
【図１０】
2004353318.tif 000013
【図１１】
2004353318.tif 000014
【図１２】
2004353318.tif 000015
【図１３】
2004353318.tif 000016